(57)【要約】【課題】紙パック等のパック容器を容易且つ確実に保持して持ち上げることができて、このパック容器が収納している液体等の内容物を、容易且つ確実に所定の場所に注ぐことができるパック容器ホルダーを提供すること。【解決手段】略直方体形状の容器（パック容器）１００を保持する容器ホルダー（パック容器ホルダー）１−１である。容器１００の１側面１１３に対向して設置されると共に、把持部１７を設けてなるホルダー本体部１０と、容器１００の外周側面１１３，１１５，１１７，１１９を保持すると共に、ホルダー本体部１０の上部に取り付けられる第１保持部３０と、容器１００の底面を保持して支えると共に、ホルダー本体部１０の下部に取り付けられる第２保持部５０とを有する。【選択図】図２
0003205708.tif 000002
【実用新案登録請求の範囲】
【請求項１】
略直方体形状のパック容器を保持するパック容器ホルダーにおいて、
前記パック容器の１側面に対向して設置されると共に、把持部を設けてなるホルダー本体部と、
前記パック容器の外周側面を保持すると共に、前記ホルダー本体部の上部に取り付けられる第１保持部と、
前記パック容器の底面を保持して支えると共に、前記ホルダー本体部の下部に取り付けられる第２保持部とを有することを特徴とするパック容器ホルダー。
【請求項２】
請求項１に記載のパック容器ホルダーであって、
前記第１保持部と第２保持部は、前記ホルダー本体部に対して、何れも前記ホルダー本体部側に向けて回動自在に折り畳めるように取り付けられていることを特徴とするパック容器ホルダー。
【請求項３】
請求項１又は２に記載のパック容器ホルダーであって、
前記ホルダー本体部の左右の辺に接続され、前記パック容器の前記ホルダー本体部が対向する側面の左右両側の側面に対向する一対の側面部を形成し、
これら一対の側面部に、前記第１保持部と第２保持部を取り付けたことを特徴とするパック容器ホルダー。
【請求項４】
請求項３に記載のパック容器ホルダーであって、
前記一対の側面部の上下端部は、それぞれ上下に突出しており、突出した部分をそれぞれ前記第１保持部と第２保持部を取り付ける一対ずつの第１保持部取付部と第２保持部取付部としたことを特徴とするパック容器ホルダー。
【請求項５】
請求項４に記載のパック容器ホルダーであって、
前記一対の第１保持部取付部の間のホルダー本体部の上辺を、前記第１保持部を回動した際に当接して所定位置に停止させる第１保持部当接部とし、
前記一対の第２保持部取付部の間のホルダー本体部の下辺を、前記第２保持部を回動した際に当接して所定位置に停止させる第２保持部当接部としたことを特徴とするパック容器ホルダー。
【考案の詳細な説明】
【技術分野】
【０００１】
本考案は、酒や牛乳等を収納したパック容器を保持するパック容器ホルダーに関するものである。
【背景技術】
【０００２】
従来、酒、牛乳、ジュース、各種液体調味料等の液体を収納した紙パック容器が、各種用途に利用されている。
【０００３】
この種の紙パック容器の中には、略直方体形状で、上部に注ぎ口のある構造の紙パック容器がある。そして、この種の紙パック容器においては、その上部に設けられた注ぎ口を開き、紙パック容器全体を傾けることで、前記容器から液体を、コップ等に注ぎ込む。
【０００４】
しかしながら、紙パック容器からコップ等に液体を注ぐ場合、手によって重い紙パック容器を持ち上げてこれを傾ける必要があるため、例えば手が濡れていたり、紙パック容器が濡れていたり、又は高齢者や幼児等のために手の握力が弱かったりした場合、紙パック容器を手から滑り落としてしまい、内部の液体をコップ等以外の場所にまき散らしたり、紙パック容器を破損させたりするという問題があった。
【先行技術文献】
【特許文献】
【０００５】
【特許文献１】特開２００２−２１１５７６号公報
【考案の概要】
【考案が解決しようとする課題】
【０００６】
本考案は上述の点に鑑みてなされたものでありその目的は、パック容器を容易且つ確実に保持して持ち上げることができて、このパック容器が収納している液体等の内容物を、容易且つ確実に所定の場所に注ぐことができるパック容器ホルダーを提供することにある。
【課題を解決するための手段】
【０００７】
本考案は、略直方体形状のパック容器を保持するパック容器ホルダーにおいて、前記パック容器の１側面に対向して設置されると共に、把持部を設けてなるホルダー本体部と、前記パック容器の外周側面を保持すると共に、前記ホルダー本体部の上部に取り付けられる第１保持部と、前記パック容器の底面を保持して支えると共に、前記ホルダー本体部の下部に取り付けられる第２保持部とを有することを特徴としている。
ホルダー本体部と第１保持部と第２保持部とによって、パック容器を確実に保持することができ、把持部を用いることによって、パック容器を容易に持ち上げることができる。これによって、パック容器が収納している内容物を、容易且つ確実に、コップ等に注ぐことができる。
【０００８】
また本考案は、前記第１保持部と第２保持部が、前記ホルダー本体部に対して、何れも前記ホルダー本体部側に向けて回動自在に折り畳めるように取り付けられていることを特徴としている。
これによって、使用しない時の容器ホルダーを、容易にコンパクトな形状にしておくことができる。
【０００９】
また本考案は、前記ホルダー本体部の左右の辺に接続され、前記パック容器の前記ホルダー本体部が対向する側面の左右両側の側面に対向する一対の側面部を形成し、これら一対の側面部に、前記第１保持部と第２保持部を取り付けたことを特徴としている。
ホルダー本体部に設けた一対の側面部に、パック容器の対向する左右２つの側面をガイドして保持する機能と、第１，第２保持部を回動自在に取り付ける機能とを、併せ持たせることができる。またこれら一対の側面部に、前記第１保持部と第２保持部を回動自在に取り付ければ、第１保持部と第２保持部を一対の側面部内に収納でき、外力に対してこれらを保護することができる。
【００１０】
また本考案は、前記一対の側面部の上下端部が、それぞれ上下に突出しており、突出した部分をそれぞれ前記第１保持部と第２保持部を取り付ける一対ずつの第１保持部取付部と第２保持部取付部としたことを特徴としている。
これによって、ホルダー本体部の一対の側面部に、第１保持部と第２保持部を容易に取り付けることができる。
【００１１】
また本考案は、前記一対の第１保持部取付部の間のホルダー本体部の上辺を、前記第１保持部を回動した際に当接して所定位置に停止させる第１保持部当接部とし、前記一対の第２保持部取付部の間のホルダー本体部の下辺を、前記第２保持部を回動した際に当接して所定位置に停止させる第２保持部当接部としたことを特徴としている。
これによって、別途部品を追加することなく、簡素な構造のまま、ストッパー機構を構成することができる。
【考案の効果】
【００１２】
本考案によれば、パック容器を容易且つ確実に保持して移動させることができて、このパック容器が収納している液体等の内容物を、容易且つ確実に所定の場所に注ぐことができる。
【図面の簡単な説明】
【００１３】
【図１】容器ホルダー１−１の斜視図である。
【図２】容器ホルダー１−１の斜視図である。
【図３】不使用時の容器ホルダー１−１の斜視図である。
【図４】容器ホルダー１−２の斜視図である。
【考案を実施するための形態】
【００１４】
以下、本考案の実施形態を図面を参照して詳細に説明する。
図１，図２は本考案の第１実施形態にかかるパック容器ホルダー（以下「容器ホルダー」という）１−１を示す図であり、それぞれ別の角度から見た斜視図である。これらの図に示すように容器ホルダー１−１は、略平板状のホルダー本体部１０と、ホルダー本体部１０の上部に取り付けられる第１保持部３０と、ホルダー本体部１０の下部に取り付けられる第２保持部５０とを具備して構成されている。またこれらの図には、容器ホルダー１−１によって保持されるパック容器（以下「容器」という）１００を点線で示している。ホルダー本体部１０と第１保持部３０と第２保持部５０は、何れも合成樹脂の成形品である。
【００１５】
容器１００は、この例では、１リットル用の略直方体形状の紙パック（牛乳パック等）であり、その上端部にこれを開いて注ぎ口とする部分１１１が設けられている。また４つの側面１１３，１１５，１１７，１１９と、１つの底面とを有している。
【００１６】
ホルダー本体部１０は、容器１００の１つの側面１１３に対向して設置される中央部１１と、中央部１１の左右の辺に接続されて前記容器１００の側面１１３の左右に位置する両側面１１５，１１９にそれぞれ対向する側面部１３，１５とを一体成形して構成されている。中央部１１と側面部１３，１５間は、略直角に屈曲している。中央部１１の略中央には、把持部１７が設けられている。把持部１７は、その上端部を中央部１１の面に接続し、その下端部を中央部１１から離れた位置に位置させている。さらに言えば、把持部１７は、略逆Ｌ字形状であり、その上端部を中央部１１の上部に接続し、前記接続した中央部１１の面から離れる方向に向かい、その後中央部１１の面に対して略平行に下方向に延びるように形成されている。これによって、中央部１１と把持部１７の間には、下方が解放された把持用空間Ａ１が形成されている。両側面部１３，１５の上下端部は、中央部１１の上下辺よりもそれぞれ上下に突出しており、突出した部分をそれぞれ第１保持部取付部１９，２１、第２保持部取付部２３，２５としている。また中央部１１の上辺を第１保持部当接部２７、下辺を第２保持部当接部２９としている。
【００１７】
第１保持部３０は、合成樹脂板を略コ字状に一体成形して構成されており、中央の連結部３１と、その左右に略直角に連結されたアーム部３３，３５とを有している。連結部３１は直線平板状である。アーム部３３，３５は、直線平板状であり、それらの先端には、内側（両アーム部３３，３５に対向する側）に向かって略直角に屈曲する押え部３３１，３５１を設けている。両アーム部３３，３５の根元側（連結部３１に近い側）の部分は、それぞれホルダー本体部１０の第１保持部取付部１９，２１に設けた軸支部Ｘ１（図１にその一方のみ示す）において回動自在に軸支されている。軸支部Ｘ１の構造には種々の構造が考えられ、例えば第１保持部取付部１９，２１から突出した小突起をアーム部３３，３５に設けた小孔に係合する構造でも良いし、またはアーム部３３，３５から突出した小突起を第１保持部取付部１９，２１に設けた小孔に係合する構造でも良いし、または両者に設けた小孔に別途用意したボルトやネジを挿入して取り付ける構造であっても良い。なおこの実施形態では、両アーム部３３，３５は、連結部３１の両端から略直角に屈曲して突出するが、それらの先端に向かうほど、両アーム部３３，３５間の間隔を少し狭めている。これは、容器１００を保持した際に両アーム部３３，３５が少し広がるように変形することで、容器の両側面１１５，１１９に弾接させ容器１００の保持ががたつかないようにするためである。
【００１８】
第２保持部５０は、合成樹脂板を上面が解放された略矩形箱型に一体成形して構成されており、矩形状の底部５１と、その外周から上方向に立設する側壁部５３，５５，５７，５９とを有している。底部５１は容器１００の底面と略同一形状寸法に形成されて容器１００の底面を載置する。また側壁部５３，５５，５７，５９は容器１００下部の側面１１３，１１５，１１７，１１９に当接してこれを保持する。側壁部５３，５７の根元側（側壁部５９に近い側）の部分は、それぞれホルダー本体部１０の第２保持部取付部２３，２５の軸支部Ｘ２（図１にその一方のみ示す）において回動自在に軸支されている。上記軸支部Ｘ１と同様、軸支部Ｘ２の構造には種々の構造が考えられ、例えば第２保持部取付部２３，２５から突出した小突起を側壁部５３，５７に設けた小孔に係合する構造でも良いし、または側壁部５３，５７から突出した小突起を第２保持部取付部２３，２５に設けた小孔に係合する構造でも良いし、または両者に設けた小孔に別途用意したボルトやネジを挿入して取り付ける構造であっても良い。
【００１９】
次に、容器ホルダー１−１の使用方法を説明する。図１，図２に示すように、軸支部Ｘ１，Ｘ２の部分を回動することで、ホルダー本体部１０（中央部１１）の面に対して垂直に突出するように、第１保持部３０と第２保持部５０を回動する。このとき第１保持部３０は、その連結部３１の下端辺が、ホルダー本体部１０の第１保持部当接部２７に当接することで、図示する位置よりも上方向には回動しない。つまり、連結部３１の下端辺とホルダー本体部１０の第１保持部当接部２７が、ストッパー機構を構成している。同様に、第２保持部５０は、その側壁部５９の上端辺が、ホルダー本体部１０の第２保持部当接部２９に当接することで、図示する位置よりも下方向には回動しない。つまり、側壁部５９の上端辺とホルダー本体部１０の第２保持部当接部２９が、ストッパー機構を構成している。
【００２０】
そして、点線で示すように、容器ホルダー１−１の上部から、容器１００を挿入して第１保持部３０の内部を通し、次に容器１００の底部を第２保持部５０内に収納する。これによって容器ホルダー１−１への容器１００の保持は完了する。容器１００は、第１保持部３０と第２保持部５０によって、確実に容器ホルダー１−１に保持される。そして、容器ホルダー１−１の把持部１７を手で掴んでこれを持ち上げ、傾けることで、容器１００内の液体（内容物）を所定の場所（例えばコップ内）に注ぎ込む。この容器ホルダー１−１によれば、ホルダー本体部１０と第１保持部３０と第２保持部５０とによって、容器１００を容易且つ確実に保持することができ、把持部１７を用いることによって、容器１００を容易に持ち上げることができる。これによって、容器１００が収納している液体を、容易且つ確実に、コップ等の所定の場所に注ぐことができる。
【００２１】
容器ホルダー１−１を使用しないときは、図３に不使用時の状態を示すように、第１保持部３０と第２保持部５０を、それぞれ軸支部Ｘ１，Ｘ２を中心にして、ホルダー本体部１０側（ホルダー本体部１０の容器１００への対向面１２側）に向けて回動し、折り畳む。これによって、使用しない時の容器ホルダー１−１を、容易にコンパクトな形状にしておくことができる。このとき、第１保持部３０と第２保持部５０は、その略全体が略ホルダー本体部１０の両側面部１３，１５内に収納される。このため、第１保持部３０と第２保持部５０は、両側面部１３，１５によって保護され、ホルダー本体部１０に比べて強度の弱い第１，第２保持部３０，５０が、外力によって変形等する恐れを防止することができる。即ち、ホルダー本体部１０に設けた一対の側面部１３，１５は、容器１００の対向する左右２つの側面１１５，１１９をガイドして保持する機能と、第１，第２保持部３０，５０を回動自在に取り付ける機能と、第１保持部３０と第２保持部５０を外力に対して保護する機能とを併せ持っている。
【００２２】
図４は本考案の第２実施形態にかかる容器ホルダー１−２を示す斜視図である。同図に示す容器ホルダー１−２において、前記図１〜図３に示す容器ホルダー１−１と同一又は相当部分には同一符号を付す。なお以下で説明する事項以外の事項については、前記図１〜図３に示す実施形態と同じである。
【００２３】
この容器ホルダー１−２において、前記容器ホルダー１−１と相違する点は、第１保持部３０の形状のみである。即ち、容器ホルダー１−２に用いる第１保持部３０は、四角形のリング状であり、４つの側壁部６１，６３，６５，６７を有して一体成形して構成されている。このように構成すれば、その内部に容器１００を挿入した際の容器保持力が、前記容器ホルダー１−１の場合に比べて強くなる。また第１保持部３０自体の強度も強くなるので、耐久性が向上する。
【００２４】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば、上記実施形態では、容器ホルダーを構成する全ての部品を合成樹脂を用いて構成したが、その一部または全部を金属製としても良い。また上記例では、把持部を、一端のみホルダー本体部に接続する方持ち構造としたが、両端を接続する両持ち構造としても良い。さらにそれ以外にも、各部品の形状に種々の変形が可能であることは言うまでもない。また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本考案の実施形態は上記記載及び各図を組み合わせた一つの実施形態に限定されるものではない。
【符号の説明】
【００２５】
１（１−１，１−２）  容器ホルダー（パック容器ホルダー）
１０  ホルダー本体部
１１  中央部
１２  対向面
１３，１５  側面部
１７  把持部
１９，２１  第１保持部取付部
２３，２５  第２保持部取付部
２７  第１保持部当接部
２９  第２保持部当接部
３０  第１保持部
３１  連結部
３３，３５  アーム部
５０  第２保持部
５１  底部
５３，５５，５７，５９  側壁部
６１，６３，６５，６７  側壁部
１００  容器（パック容器）
１１１  部分
１１３，１１５，１１７，１１９  側面
３３１，３５１  押え部
Ａ１  把持用空間
Ｘ１，Ｘ２  軸支部
【図１】
0003205708.tif 000003
【図２】
0003205708.tif 000004
【図３】
0003205708.tif 000005
【図４】
0003205708.tif 000006